(57)【特許請求の範囲】
【請求項１】
プラスチックフィルム又は箔からなる基材と、前記基材の一方の面に設けられた感圧性接着剤層と、前記感圧性接着剤層上に貼着された離型紙と、前記基材の長手方向に対して基材の一方の端部から１／５０以上１／６以下の長さの位置で突き合わされかつこの突き合わせ部を除いて熱融着により再剥離可能に前記基材の他方の面に貼着されている２枚のプラスチックフィルムからなる支持体であって、前記２枚のプラスチックフィルムのうち長い方の長さのものが短い方の長さのものより前記基材に対して強い粘着力を有する支持体と、前記支持体の突き合わせ部上に所望幅の粘着プラスチックテープを前記突き合わせ部と同方向の幅方向に貼り合わせ、かつ支持体の短い方の長さのプラスチックフィルムの長手方向の端末部を越えて延長された非粘着の余長部分を有する支持体剥離片とを備えることを特徴とする医療用絆創膏。
【請求項２】
基材を構成するプラスチックフィルムまたは箔が厚さ５μｍ〜１００μｍのポリウレタンフィルムまたは箔であって、支持体を構成するプラスチックフィルムが厚さ２０μｍ〜１２０μｍのＯＰＰフィルムであることを特徴とする請求項１に記載の医療用絆創膏。
【請求項３】
支持体と基材の間の剥離強力が離型紙と感圧接着剤層の間の剥離強力よりも大きく、支持体と支持体剥離片の間の剥離強力よりも小さい剥離強力を有していることを特徴とする請求項１または２に記載の医療用絆創膏。
【請求項４】
支持体と支持体剥離片の間の剥離強力が被着体と感圧性接着剤層の間の剥離強力の１／２よりも小さい剥離強力を有していることを特徴とする請求項１〜３のいずれかに記載の医療用絆創膏。
【請求項５】
支持体と基材の間の剥離強力が１０ｇ／２５ｍｍ〜１００ｇ／２５ｍｍであることを特徴とする請求項１〜４のいずれかに記載の医療用絆創膏。
【請求項６】
支持体と支持体剥離片の間の剥離強力が１５ｇ／２５ｍｍ〜２５０ｇ／２５ｍｍであることを特徴とする請求項１〜５のいずれかに記載の医療用絆創膏。
【発明の詳細な説明】
【技術分野】
【０００１】
本発明は、人体や動物の身体の火傷、切傷、炎症部位等の創傷面に貼着して、これらを保護するためにあるいはカテーテル等の医療用器具を皮膚に固定するために用いられる医療用絆創膏に関するものである。
【背景技術】
【０００２】
従来から、接着性を有しかつ酸素と水蒸気に対して高い透過性を有する通気性の、または逆に皮膚からの水蒸気の発散を防ぐ水蒸気非透過性の絆創膏が、例えば身体の火傷、切傷、炎症部位等の創傷面を保護するため、あるいはカテーテル等の医療用器具を皮膚に固定するため等に幅広く用いられている。そして、これらの絆創膏は身体の部分の形状に完全に追従しなければならず、しかも皮膚に直接貼着される関係上、極めて薄いフィルム状もしくは箔状のものが要求される。しかしながら、このような薄いフィルムまたは箔状の絆創膏は、その薄さのため、貼着しようとする患部の表面積が大きくなればなるほど施用が非常に困難なものとなる。即ち、患部の表面積が大きくなるにつれて、貼着時にしわが入ったり、カールして接着剤同志がくっついてしまうというようなことが多くなるからである。
【０００３】
ところで、このような問題点を解決した幾つかの薄いフィルム状または箔状の絆創膏及びその施用方法が提案されている。例えば特許文献１は絆創膏基材の片面上にこの絆創膏の施用を補助する手段として絆創膏が施用された後に取り去ることのできる強化枠を施すことを提案している。この提案は確かに比較的大きな平面的箇所に使用される場合に有効であると思われる。しかしながら、湾曲した身体部分への施用に対しては強化枠の存在のため甚だ不都合である。また、強化枠のため透視面積比率が小さくなるという欠点も有する。
【０００４】
これを解決するために、絆創膏の長手方向の２つの端部のみにそれぞれ支持強化縁を取り付ける方法が特許文献２に提案されている。しかし、この絆創膏も前記した特許文献１と同様、その曲げにくい強化縁の存在のため、全ての状況下で使用することは困難である。また、透視面積比率が小さくなることも前記のものと同様である。
【０００５】
これらの欠点の解決、即ち透視面積比率をアップし、しかも湾曲部等へも貼着可能にするために、支持体としてフィルム（基材）の背面をより大きな硬さの一枚のフィルムで覆うとともにこの支持体の片端をフィルム基材の片端を超えて延長させ、把持片を形成させた絆創膏が特許文献３に開示されている。この絆創膏の接着剤層面上には離型紙層が設けられており、この離型紙層もフィルムの一方の端部を超えて延長させた把持部を有するものである。そして、この支持体は離型紙層を剥して被着体に絆創膏を貼着した後に初めて取り除かれるようになっている。このような発明は、基材の片面上に支持体を設けてあるためにほこりや汚れから基材を守ることができる点、また基材にしわが入りやすいことやカールしやすいこと等の防止ができる点及び透視面積比率が大きい点において改良が認められる。しかしながら、全ての問題点が解決されたわけではない。例えばこの発明では被着体に貼着後支持体を基材から剥そうとするとき、端部より剥さなければならない。従って貼着した基材の端部を引き起こすこととなり、せっかく貼った絆創膏を支持体を剥すと同時に剥してしまうおそれがあるからである。また、離型紙を剥すときにも、支持体に把持部が一方にしか設けられていないので剥離時において粘着面同志がくっついてしまうなどの欠点がある。
【０００６】
このような問題点を解決するために、特許文献４では基材背面全面にかつその両端に把持部を有する一枚の支持体層を設けると共に長手方向の略中央部に蛇行する切線を設けた離型紙層を有するものが開示されている。この発明によれば、離型紙層は絆創膏の長手方向に対して中央部より簡単に引き起こすことができかつ両端に向かって剥すことができるので、構造が複雑である点を除けば離型紙を剥すという点において改良が認められるものである。しかし、支持体を剥す点においては前記特許文献３と同様不完全なものである。
【０００７】
上述の問題点を解決するために、本発明者は、特許文献５において、支持体が２枚のプラスチックフィルムを突き合わせた状態で設けられ、かつこの突き合わせ部上に支持体剥離片が設けられた絆創膏を提案した。この絆創膏は、被着体に貼着後は支持体をその突き合わせ部から端部に向けて剥すことができ、このため創傷面に貼着した薄いフィルム状または箔状の基材を引き起こすことなく支持体のみを剥離できるという利点がある。ところが、この支持体剥離片は、基材のほぼ中央の突き合わせ部上に設けられ、支持体の剥離は、支持体剥離片を持って端末方向に向けて引き剥して支持体の片方を一緒に剥離し、次いで残る支持体をその中間を持ってその突き合わせ部から反対の端末方向に向けて引き剥す操作によって行われる。従って、この絆創膏を初めて使用する者にとって、この操作は極めて複雑であり、支持体をこの通り正確に剥離することは難しいのが現状である。
【先行技術文献】
【特許文献】
【０００８】
【特許文献１】米国特許第４３７２３０３号公報
【特許文献２】米国特許第４３７４５２０号公報
【特許文献３】欧州特許第５１９３５号公報
【特許文献４】米国特許４６１９２５３号公報
【特許文献５】特開平７−４４５号公報
【発明の概要】
【発明が解決しようとする課題】
【０００９】
本発明は、上述のような問題点を解消するために創案されたものであり、その目的は、創傷面に貼付した基材を引き起こすことなく支持体を基材から容易に剥離できしかも保管時において絆創膏から汚れやゴミの付着を防止でき、かつ離型紙が基材より簡単に剥がれるとともに、初めて使用する者が施用にあたってしわなど入れることなく創傷面に容易に貼着できる医療用絆創膏を得ることにある。
【課題を解決するための手段】
【００１０】
即ち、本発明は、プラスチックフィルム又は箔からなる基材と、前記基材の一方の面に設けられた感圧性接着剤層と、前記感圧性接着剤層上に貼着された離型紙と、前記基材の長手方向に対して基材の一方の端部から１／５０以上１／６以下の長さの位置で突き合わされかつこの突き合わせ部を除いて熱融着により再剥離可能に前記基材の他方の面に貼着されている２枚のプラスチックフィルムからなる支持体であって、前記２枚のプラスチックフィルムのうち長い方の長さのものが短い方の長さのものより前記基材に対して強い粘着力を有する支持体と、前記支持体の突き合わせ部上に所望幅の粘着プラスチックテープを前記突き合わせ部と同方向の幅方向に貼り合わせ、かつ支持体の短い方の長さのプラスチックフィルムの長手方向の端末部を越えて延長された非粘着の余長部分を有する支持体剥離片とを備えることを特徴とする医療用絆創膏である。
【発明の効果】
【００１１】
本発明によれば、基材上に再剥離可能状態に熱融着した支持体を設けるので保管中において基材へのゴミやほこりの付着あるいは基材への汚れが防止できるという衛生機能を有し、施用時においては基材が支持体により補強できているので薄いフィルム状または箔状の基材から離型紙を簡単に剥離できるという離型紙剥離作用を有する他、特に支持体が２枚のプラスチックフィルムを突き合わせた状態で設けられかつこの突き合わせ部上に支持体の端末部を越えて延長された余長部分を有する支持体剥離片が設けられるので被着体に貼着後は支持体を一方の端部から他方の端部に向けて剥すことができ、このため創傷面に貼着した薄いフィルム状または箔状の基材を引き起こすことなく簡単に支持体のみを剥離できるという支持体剥離作用を有する。
【００１２】
また、本発明によれば、支持体の２枚のプラスチックフィルムの突き合わせ部を基材の一方の端部に片寄らせたうえに、短い方の長さのフィルムに長い方の長さのフィルムより弱い基材に対する粘着力を持たせるようにしたので、支持体剥離片の余長部分を端末方向に向けて引き剥がす一回の操作で支持体をきれいに剥離することができ、初めてこの絆創膏を使用する者でも当惑せずに簡単に支持体剥離操作を行うことができる。
【図面の簡単な説明】
【００１３】
【図１】本発明の医療用絆創膏の縦断面図である。
【図２】図１の平面図である。
【発明を実施するための形態】
【００１４】
以下、図面を参照して本発明の医療用絆創膏の一例を説明するが、本発明はこれらに限定されるものではない。
【００１５】
図１は本発明の医療用絆創膏の一例の縦断面図であり、図２はその平面図である。図において、１はフィルム状または箔状の基材、２は基材１の一方の面に設けた感圧性接着剤層、３は感圧性接着剤層２上に設けた離型紙、４は離型紙３の突き合わせ部、５は基材１の他方の面に突き合わせて設けられる２枚のプラスチックフィルムからなる支持体、特に５ａは短い方の長さのプラスチックフィルム、５ｂは長い方の長さのプラスチックフィルム、６は支持体５ａ，５ｂの突き合わせ部、７は基材１と支持体５との間の熱融着部、特に７ａ，７ｂはそれぞれ基材１と短い方の長さのプラスチックフィルム５ａとの間の熱融着部、基材１と長い方の長さのプラスチックフィルム５ｂとの間の熱融着部、８は支持体５ａ，５ｂの突き合わせ部６上に設けられる粘着プラスチックテープからなる支持体剥離片、８ａは支持体剥離片８の支持体の短い方の長さのプラスチックフィルム５ａの端末部を越えて延長された非粘着の余長部分、８ｂは支持体剥離片８の粘着剤部分である。
【００１６】
ここにおいて、本発明の医療用絆創膏に使用される基材１としては、箔状ないしはフィルム状の熱可塑性樹脂であって、支持体５を構成するプラスチックフィルムと再剥離できる程度に熱融着が可能な熱可塑性樹脂、例えばポリエチレン樹脂、ポリプロピレン樹脂、ポリ塩化ビニル樹脂、ポリウレタン樹脂、ポリアミド樹脂、エチレン・酢酸ビニル共重合体樹脂、ポリエステル樹脂、ポリビニルアルコール樹脂、ポリアクリレート樹脂、ポリカーボネート樹脂、フッソ含有共重合体樹脂、ポリスチレン樹脂、ポリ塩化ビニリデン樹脂が適宜選択されて使用される。そして、この中でも特に通気性を持つ箔またはフィルムとして熱接着に適するなどの点から厚さ５μｍ〜１００μｍのポリウレタンフィルムまたは箔が最適である。また非通気性の基材としては、水蒸気不透過率の高いポリ塩化ビニリデンフィルムが好ましい。
【００１７】
また、基材１のフィルムまたは箔は、透明であっても不透明であってもよく、着色されていても非着色であってもよいが、傷等の患部を上から見ながら添着しなければならないような用途では当然透明フィルムでなくてはならない。
【００１８】
次に、本発明の医療用絆創膏には基材１の一方の面に感圧性接着剤層２が設けられているが、この感圧性接着剤層２は医療用としてカブレや刺激の少ない接着剤が選択される。そして、これらの主成分としては、天然ゴム、水系高分子エマルジョン、熱可塑性ゴム、ポリウレタン、ポリアクリルエステルコポリマー等が適宜選択されて使用される。また、これらの溶媒としては、水系、溶剤系いずれも使用することができる。一方、本発明に用いられる感圧性接着剤層２は、被着体、特に人体または動物の皮膚に対し、２００ｇ／２５ｍｍ〜９００ｇ／２５ｍｍの粘着力を有することが好ましい。これは２００ｇ／２５ｍｍ未満では粘着力が弱すぎ、皮膚の発汗や動き等によって剥してしまうおそれがあるからであり、９００ｇ／２５ｍｍを越えると粘着力が強すぎ、誤着や取り替え時の剥離においてかえって皮膚を痛めてしまうおそれがあるからである。
【００１９】
さらに、本発明の医療用絆創膏には、感圧性接着剤層２上に全体をカバーするように離型紙３が設けられている。剥離紙３は、図１，２に示すように感圧性接着剤層２の面をカバーするように、幅方向Ｗに付き合わせられた２枚の剥離紙からなることができる。離型紙３の材質としては、医療用絆創膏の離型紙として通常用いられるものであればよく、シリコーン処理されたグラシン紙、もしくはＰＥＴ，ＯＰＰなどのプラスチックフィルム、テフロン（登録商標）フィルム、シリコーン処理されたポリエチレンをラミネートしたクラフト紙、グラシン紙及び上質紙等が好適に用いられる。離型紙３の剥離は、突き合わせ部４を頂部として山形に折り曲げ、突き合わせ部４で感圧性接着剤層２と離型紙３の間を剥離させ、それによって得られた二つの剥離部分をそれぞれ持って両端末方向に引っ張ることによって行うことができる。この場合、離型紙３には剥離方向を示す矢印を印刷することが好ましい。
【００２０】
離型紙３の感圧性接着剤層２からの剥離力は、２ｇ／２５ｍｍ以上１０ｇ／２５ｍｍ以下、より好適には２ｇ／２５ｍｍ以上５ｇ／２５ｍｍ以下であることが好ましい。この理由は、２ｇ／２５ｍｍ未満の軽い力で剥離できるような場合は保管や運搬中の衝撃や動きで離型紙３が剥がれてしまい、感圧性接着剤層２がむき出しになるおそれがあるからである。また、１０ｇ／２５ｍｍを越える重い剥離力では、施用にあたって感圧性接着剤層２からの剥離に手間取ったり、離型剤層の層間剥離を引き起こしたりして好ましくないからである。
【００２１】
一方、基材１の他方の面には、長手方向Ｌに対して略直角に突き合わせ部６で突き合わされた２枚のプラスチックフィルムからなる支持体５ａ、５ｂが、突き合わせ部６を除いて再剥離可能に熱融着されている。さらに、この支持体５ａ，５ｂの突き合わせ部６上には、粘着部分８ｂを持つ所望幅の粘着プラスチックテープからなる支持体剥離片８が幅方向Ｗに貼り合わされて設けられている。支持体剥離片８には支持体５の短い方のプラスチックフィルム５ａの端末部を越えて延長された非粘着の余長部分８ａが設けられている。余長部分８ａには剥離方向を示す矢印を印刷することが好ましい。
【００２２】
ここにおいて、支持体５を構成する２枚のプラスチックフィルムは、公知の熱可塑性重合体から選択できるものであり、前述した基材１を構成する箔またはフィルムと再剥離できる程度に熱融着できる材質のものでなくてはならない。そして、これらのプラスチックフィルムとしては、ポリエチレン、ポリプロピレン、ポリエステル、ポリアミド、ポリ塩化ビニルなどのフィルム等が基材１との組合せにおいて適宜選択される。例えば、ポリウレタンフィルムを基材１として使用する場合は、被着体への追従性の点で厚さ２０μｍ〜１２０μｍの二軸延伸ポリプロピレン（ＯＰＰ）フィルムが好ましく用いられる。
【００２３】
支持体５は２枚のプラスチックフィルム５ａ，５ｂを突き合わせて構成するが、その突き合わせ部６の位置は、基材１の長手方向Ｌに対して基材１の一方の端部から１／５０以上１／６以下の長さ、好ましくは２ｍｍ以上１ｃｍ以下の長さの位置にあることが必要である。この位置での突き合わせ部６の形成によって短い方の長さのプラスチックフィルム５ａと長い方の長さのプラスチックフィルム５ｂが作られる。ここで短い方の長さのプラスチックフィルム５ａは長い方の長さのプラスチックフィルム５ｂより基材１に対して弱い粘着力を有するようにすることが必要である。弱い粘着力のプラスチックフィルム５ａが支持体剥離片８の剥離操作で最初に容易に剥離するようにするためである。このように短い長さの粘着力の弱いプラスチックフィルム５ａを支持体５の端部に小さく作ることにより、支持体剥離片８の余長部分８ａを持って行われる支持体の剥離操作が一方向で容易に完了することができる。
【００２４】
支持体５は突き合わせ部６を除いて基材１の片面に再剥離可能に熱融着されるが、この場合の熱融着部７の剥離強力は、離型紙３と感圧性接着剤層２の間の剥離強力よりも大きく、支持体５と支持体剥離片８の間の剥離強力よりも小さい強力を有することが好ましい。即ち、支持体５と基材１の間の剥離力は１０ｇ／２５ｍｍ〜１００ｇ／２５ｍｍ、特に支持体５ａ，５ｂと基材１の間の剥離力はそれぞれ１０ｇ／２５ｍｍ〜３５ｇ／２５ｍｍ，５０ｇ／２５ｍｍ〜１００ｇ／２５ｍｍ、離型紙３と感圧性接着剤層２の間の剥離強力は前述の通り２ｇ／２５ｍｍ〜１０ｇ／２５ｍｍ、また、支持体５と支持体剥離片８の間の剥離強力は１５ｇ／２５ｍｍ〜２５０ｇ／２５ｍｍにそれぞれ設計されることが好ましい。そして、これらの値の最大値においても被着体と感圧性接着剤層２の間の剥離力３００ｇ／２５ｍｍ〜９００ｇ／２５ｍｍに比べてその１／２を超えないように考慮されていることが好ましい。これは、それぞれの剥離においてどのような条件下においても被着体から基材１を引き剥さないよう配慮された結果であり、１／２よりも剥離強力が大きくなった場合には、感圧性接着剤層２の被着体への貼着条件、例えば発汗等の条件により被着体から基材１を引き剥す危険が生じるからである。また、熱融着部７の剥離強力を、離型紙３と感圧性接着剤層２の間の剥離強力よりも大とする理由は、離型紙３の剥離時に基材１から支持体５が先に剥離することがないようにされるためであり、支持体５と支持体剥離片８の間の剥離強力よりも小とする理由は、支持体剥離片８に設けられた余長部分８ａを把持して支持体５を基材１より引き剥す時に支持体剥離片８が支持体５から先に剥がれて、基材１から支持体５が剥がれなくなることを防ぐためである。
【００２５】
尚、支持体剥離片８に用いられる粘着テープの長さ（Ｌ１＋Ｌ２＋Ｌ３＋Ｌ４）は２ｃｍ〜８ｃｍが好適であり、そのうち余長部分８ａの長さＬ１は０．２ｃｍ〜３ｃｍが好ましい。また、このドライエッジ付粘着テープは支持体５と同様に透明であっても不透明であっても、着色されていても着色されていなくてもよいが、傷等の患部を見ながら貼着される場合などでは透明もしくは着色透明の粘着テープでなくてはならないのは勿論のことである。
【００２６】
次に、上述のような本発明の医療用絆創膏の施用例について述べれば、突き合わせ部４を頂点として絆創膏全体を山形に折り曲げ、離型紙３の突き合わせ部から感圧性接着剤層２を分離し、この分離した二つの離型紙３の一方を端末方向に引っ張って感圧性接着剤層２より剥離した後、むき出しになった感圧性接着剤層２の部分を被着体に貼着する。そして、残りの離型紙３を端末方向に引っ張って感圧性接着剤層２より剥離しながら、同様にこの部分も被着体に貼着する。この場合、離型紙４は中から外に向けて引き剥されるので基材１の端部は引き起こされたり、しわになったりすることなく、被着体に密着させることができる。こうして離型紙３を剥した後、感圧性接着剤層２を被着体にしっかりと固着するように支持体５の上から軽く押さえてならし、感圧性接着剤層２を被着体に完全に密着させた後、支持体剥離片８の余長部分８ａを持って支持体５の短い方のプラスチックフィルム５ａから端末方向に向けて引き剥し、次いで残る支持体５の長い方のプラスチックフィルム５ｂも一緒に端末方向に向けて引き剥すことにより貼着を終了する。この施用方法は、初めて使用する者にとって極めてわかりやすく、簡単でかつ安全である。
【実施例】
【００２７】
次に、本発明による医療用絆創膏の実用例を示す。即ち、図１，２において、長さ（Ｌ）６０ｍｍ、幅（Ｗ）５０ｍｍ、厚さ８μｍの透明なポリウレタンフィルムからなる基材１の片面に感圧性接着剤層２としてアクリル系粘着剤２０μｍが塗布され、さらにこの感圧性粘着剤層２上に基材１の片方の端末部より２０ｍｍ（Ｌ５）に突き合わせ部４を有する離型紙３（シリコーン処理されたポリエチレンをラミネートした上質紙）が設けられた医療用絆創膏において、基材１の背面Ｌ２＝４ｍｍとする２枚の透明ＯＰＰフィルムを支持体５とし、これを突き合わせ部６を除いて基材１のポリウレタンフィルムと熱融着して再剥離可能状態に貼着し、さらにこの突き合わせ部６上にＬ１＝１０ｍｍ，Ｌ４＝１５ｍｍ，Ｌ１＋Ｌ２＋Ｌ３＋Ｌ４＝４４ｍｍの着色透明ＰＥＴ粘着フィルムを支持体剥離片８として長手方向Ｌに略直角に突き合わせたような絆創膏を作成し、その性能を調べると共に実用テストに供したところ（ｎ＝１０枚）、表１のような結果を得た。
【００２８】
【表１】
0005456386.tif 000002
【００２９】
表１から認められるように、この本絆創膏の性能及び実用結果は極めて満足のいくものであった。
【産業上の利用可能性】
【００３０】
本発明の医療用絆創膏は、創傷面に貼付した基材を引き起こすことなく支持体を基材から容易に剥離できしかも保管時において絆創膏から汚れやゴミの付着を防止でき、かつ離型紙が基材より簡単に剥がれるとともに、初めて使用する者が施用にあたってしわなど入れることなく創傷面に容易に貼着できるので、医療用絆創膏の業界において有用である。
【図１】
0005456386.tif 000003
【図２】
0005456386.tif 000004